(57)【特許請求の範囲】
【請求項１】
収納物を密封する包装用密封袋のシートの内面に、その外周に沿ってヒートシール形成個所で付着防止剤が塗工されない未塗工部を設け、該未塗工部を除いた個所を付着防止剤塗工部としてなり、
付着防止剤塗工部が、その外周で前記未塗工部に沿って着色された付着防止剤をライン状に塗工した着色塗工部と、該着色塗工部で囲まれた内側で着色剤を含まない付着防止剤を塗工した透明色塗工部とからなっていることを特徴とする包装用密封袋。
【請求項２】
未塗工部がシートの外周縁に沿って矩形の枠体状に形成されており、着色塗工部が未塗工部の内周縁に沿ってライン状に形成されており、該未塗工部で囲まれた内側に透明色塗工部が形成されてなることを特徴とする請求項１に記載の包装用密封袋。
【請求項３】
未塗工部に形成されるヒートシールがイージーピールからなることを特徴とする請求項１に記載の包装用密封袋。
【請求項４】
着色された付着防止剤と透明な付着防止剤とを用いて、着色塗工部と透明色塗工部とを同時に形成してなることを特徴とする請求項１に記載の包装用密封袋。
【発明の詳細な説明】
【技術分野】
【０００１】
本発明は、粘着性を一部に有する収納物を容易に取り出すことのできるパウチ等の包装用密封袋の改良に関する。
【背景技術】
【０００２】
従来、経皮吸収剤等の粘着剤が塗布された貼付体１０は、典型的には図５に示すように、基材／粘着層（経皮吸収剤含有粘着層）／セパレータ（剥離シート）の積層構造からなっており、その特性から貼付体を貼り付けるまで、シリコーンコートフイルム等の前記セパレータが使用されている。
そこで、上記貼付体をパウチ等の包装袋に収納した際に、前記粘着層の端面が露出しているため、上記端面がパウチに貼り付き、粘着層の広面に接着されたセパレーターが前記袋内で剥がれたり、袋から貼付体がスムーズに取り出せないなどの不具合が生じる惧れがある。
そのため、包装袋のフイルムの内側に剥離剤を塗布し、貼り付き防止を行う方法として、特開２００５−３２８９２８号の貼付剤収納用包装袋及び貼付剤包装体が開示されている。
【０００３】
即ち、上記貼付剤収納用包装袋及び貼付剤包装体は、基材上に薬剤を含有する貼付層と剥離紙とを積層してなる貼付体を収納するための、熱融着性樹脂層を有する一対のシートを熱融着して構成される包装袋であって、該包装袋の熱融着部の少なくとも一部が該シートの熱融着樹脂層同士を直接熱融着して構成されるとともに、該シートの内面の一部に剥離剤からなる付着防止層を備えており、前記付着防止層が、前記包装袋の熱融着部まで延設されている構成や、前記付着防止層が着色されている構成からなっている。
これにより、シール部の密閉性が高く、貼付体に含まれる薬剤の揮散を効果的に抑制するとともに、包装袋から貼付体を取り出す際にも、剥離紙が剥がれることなく、速やかに取り出すことができる。
【先行技術文献】
【特許文献】
【０００４】
【特許文献１】特開２００５−３２８９２８
【発明の概要】
【発明が解決しようとする課題】
【０００５】
包装用のパウチはその性質上、包装袋を形成するために二枚のフィルムを重ねる場合には密封するために四方を、一枚のフィルムを折り返す場合は少なくとも開放された三方を、チューブ状フイルムを用いる場合は同様に二方を、それぞれヒートシール等で密封される。
このためパウチの包装袋を構成するフィルム内面の全面にシリコーン等の剥離剤の塗工を行った場合には、ヒートシールができずパウチとしての機能を果たさない惧れがある。
そこで、上記問題を解決するために、必要な部分にだけシリコーン等の剥離剤の塗工を行うためゾーンコートやパートコート技術を用いている。
フィルム内面にシリコーン等の剥離剤を塗工する場合、シリコーンは無色ため未塗工部分との境界が視認することができない。
そのため、特許文献１では、剥離剤の塗工済みエリアを視認するために着色等の工夫が行われている。
しかし、着色する場合には、着色剤に含まれる成分が貼付体等の収納物に悪影響を与えないか等の確認が予め必要となる。
この発明は上記事情に鑑みて創案されたものであって、その解決しようとする問題点は、包装袋のフィルム内面に、シール個所の内周に沿って着色された剥離剤を塗工した着色ライン部を形成すると共に、該着色ライン部の内側全域を貼付体等の収納物に影響を与えない透明の剥離剤を塗工した透明エリア部を形成することで、着色ライン部を視認することで、前記包装袋のシール部の重なりを確認できるようにした包装用密封袋を提供することにある。
【課題を解決するための手段】
【０００６】
本発明は、上記課題を達成するために請求項１の発明では、
収納物を密封する包装用密封袋のシートの内面に、その外周に沿ってヒートシール形成個所で付着防止剤が塗工されない未塗工部を設け、該未塗工部を除いた個所を付着防止剤塗工部としてなり、
付着防止剤塗工部が、その外周で前記未塗工部に沿って着色された付着防止剤をライン状に塗工した着色塗工部と、該着色塗工部で囲まれた内側で着色剤を含まない付着防止剤を塗工した透明色塗工部とからなっていることを特徴とする。
また、請求項２の発明では、
未塗工部がシートの外周縁に沿って矩形の枠体状に形成されており、着色塗工部が未塗工部の内周縁に沿ってライン状に形成されており、該未塗工部で囲まれた内側に透明色塗工部が形成されてなることを特徴とする。
請求項３の発明では、
未塗工部に形成されるヒートシールがイージーピールからなることを特徴とする。
請求項４の発明では、
着色された付着防止剤と透明な付着防止剤とを用いて、着色塗工部と透明色塗工部とを同時に形成してなることを特徴とする。
【発明の効果】
【０００７】
付着防止剤塗工部が、外周側の着色塗工部と、その内側全域に形成される透明色塗工部とからなっているので、着色塗工部によってヒートシール個所の重なりを色彩の目視で確認することができる。
また、収納物は透明色塗工部によって接触されるので、着色剤などの不純物が収納物と接することがないので収納物の品質を維持することができる。
また、着色された付着防止剤と透明の付着防止剤との塗工で、同時に着色塗工部と透明色塗工部とをゾーンコートすることができ、作業手間の省力化とコストダウンを図ることができる。
【図面の簡単な説明】
【０００８】
【図１】（ａ）は実施例１の包装用密封袋の部分斜視図、（ｂ）は袋を構成するシートの説明図である。
【図２】（ａ）は実施例１の包装用密封袋のシートの内面の説明図、（ｂ）はラインが分断された場合の説明図、（ｃ）は平面図である。
【図３】実施例２の包装用密封袋の筒状フィルムの説明図である。
【図４】（ａ）実施例３の包装用密封袋を形成するフィルムの展開図、（ｂ）はフィルムを二つ折りした状態の説明図である。
【図５】経皮吸収剤の一例を示す模式図である。
【発明を実施するための形態】
【０００９】
以下に、この発明の包装用密封袋の好適実施例について、図面を参照しながら説明する。
【実施例１】
【００１０】
[包装用密封袋]
実施例１の包装用密封袋１は、対面して配置された一対の合成樹脂製フィルム２の周縁部をヒートシールして、経皮吸収剤などの貼付体を内部に収納した状態で密封するものである(図１（ａ）参照）。
そして、包装用密封袋１を構成する一対のシート２の内面には、その周縁部（外周）に沿って所定の幅で囲んでヒートシールを行うための未塗工部３と、該未塗工部３で囲まれた内側の部分に形成される付着防止剤塗工部４とが形成されている(図１（ｂ）参照）。
【００１１】
対面して配置された一対のシート２は、別体のシートにより構成されたものを図示したが、後述のように、この発明では１枚のシートを２つに折ることで対向する一対のシートを形成したもの、あるいは筒状のシートの対向する面であってもよい。
また、シートに用いるプラスティックフィルムの種類は、用途に合わせて適宜選択することができ、特に限定されない。
【００１２】
[未塗工部]
ヒートシールは、一対のシート２の開放された面の縁部に沿って行い密封袋としている。
ヒートシール形成個所である未塗工部３は、本実施例ではシート２の周縁部に沿って略矩形枠状に形成されるが、本実施例では袋内部を密封すればよく枠体形状は無端であれば特に限定されるものではない。
【００１３】
[付着防止剤塗工部]
付着防止剤塗工部４は、前記密封袋１を構成する一対のシート２において、双方のシートの内面にそれぞれ形成されるものでも、いずれか一方のシートの内面に形成されるものでもよい。
この付着防止剤塗工部４は、前記シート２のヒートシールを行う未塗工部３を除いた全域に形成される。
前記未塗工部３が周囲（図示例では四方）を囲む場合は、未塗工部３で囲まれた内側の部分の全域に付着防止剤塗工部４が形成される。
【００１４】
[着色塗工部]
付着防止剤塗工部４は、その外周で前記未塗工部に沿って形成されるライン状の着色塗工部５と、該着色塗工部５で囲まれた内側の透明色塗工部６とからなっている（図２（ａ）参照）。
着色塗工部５は、着色された付着防止剤を塗工した個所であって、例えば適宜な色素を含有して着色されたシリコーン系付着防止剤が塗工される。
【００１５】
この着色塗工部５は、前記未塗工部３に沿ってその内側にライン状に形成されるので、未塗工部３の重なりの異常を目視をより確認することができる。
ここで、ライン形状は、連続するものに限らず所定の間隔で断続したものであってもよい（図２（ｂ）参照）。
【００１６】
着色する色彩は特に限定されず、シート２に塗工した際に識別可能な色彩が用いられる。
例えばシートが半透明の色彩が施されている場合には、同系色以外の識別可能な色彩が用いられる。
【００１７】
[透明色塗工部]  
透明色塗工部６は着色剤などの不純物を含まない付着防止剤を塗工した個所であり、例えば透明なシリコーン系付着防止剤が塗工される。
この透明色塗工部６は、収納物１０と接するシート２の面に形成されるが、収納物１０との接触面には着色剤や不純物が存在しないので、収納物１０がシート２に接しても反応して劣化する虞れはない（図２（ｃ）参照）。
【００１８】
着色したシリコーン系付着防止剤と、無色透明のシリコーン系付着防止剤とは、同時に１工程で塗ることで、コストメリットが生じると共に、着色した付着防止剤の塗工位置を目視で確認することができる。
また、透明な付着防止剤は着色剤などの不純物を混入していないので改めて接触試験を行う必要もなく、接触面の品質が保障できる。
【実施例２】
【００１９】
実施例２の包装用密封袋１は、筒状のフィルム１２を連続方向と交差して切断し、切断により開口した対向する二方の外周に沿ってヒートシールするための一対の未塗工部３が形成されており、それ以外は付着防止剤塗工部４となっている(図３参照）。
【００２０】
付着防止剤塗工部４は、前記未塗工部３に沿って着色塗工部５が形成され、それ以外が透明色塗工部６となっている。
その他の構成は前記実施例１と同様であるので、同一構成には同一符号を付してその説明を省略する。
この場合も、前記実施例１と同様に着色した付着防止剤の塗工位置を目視で確認することができる。
また、透明な付着防止剤を用いることで接触面の品質が保障できる。
【実施例３】
【００２１】
実施例３の包装用密封袋１は、矩形のフィルム２２を二つ折りし、三方にヒートシールをして収納物１０を密封する構造からなっている(図４参照）。
そして、密封袋１を構成するシート２の外周に沿って、略コ字状の未塗工部３が形成されており、それ以外は付着防止剤塗工部４となっている。
【００２２】
付着防止剤塗工部４は、前記未塗工部３に沿ってコ字状に着色塗工部５が形成され、それ以外が透明色塗工部６となっている。
その他の構成は前記実施例１、２と同様であるので、同一構成には同一符号を付してその説明を省略する。
この場合も、前記実施例１、２と同様に着色した付着防止剤の塗工位置を目視で確認することができる。
また、透明な付着防止剤を用いることで接触面の品質が保障できる。
【００２３】
この発明では、未塗工部のヒートシールは、イージーピール方式が望ましい。
また、未塗工部のヒートシールと、これと接する着色塗工部とは、その一部が相互に重なる構成であってもよい（特開２００５−３２８９２８参照）。
本実施例では収納物として経皮吸収剤を例示したが、その他の粘着剤が塗布された物や粘着性を有する物など、密封袋の内面にシリコーンなどの付着防止剤を塗工する必要のある収納物は全て含まれる。
その他、要するにこの発明の要旨を変更しない範囲で種々設計変更しうること勿論である。
【産業上の利用可能性】
【００２４】
この発明では、食品包装分野、メディカル分野、工業分野など包装又は容器に関連する分野に広く適用することができる。
【符号の説明】
【００２５】
１    包装用密封袋
２    シート
３    未塗工部
４    付着防止剤塗工部
５    着色塗工部
６    透明色塗工部
１０    収納物
１１    フィルム
１２    筒状のフィルム
２２    矩形のフィルム
【図１】
0005590489.tif 000002
【図２】
0005590489.tif 000003
【図３】
0005590489.tif 000004
【図４】
0005590489.tif 000005
【図５】
0005590489.tif 000006